(57)【特許請求の範囲】
【請求項１】
災害情報を含む各種の収集した情報を提供情報とし、この提供情報の特性を付加して送信する情報提供装置と、
通常の画像である通常画像を表示するための画像信号を含む第１の伝送信号が入力されると、この第１の伝送信号を出力する画像混合装置と、
前記画像混合装置からの第１の伝送信号が入力されると、この第１の伝送信号を基に通常画像を表示する表示装置と、
前記表示装置の画面を撮影する撮影装置と、
を備え、
前記画像混合装置は、前記情報提供装置から提供情報を受け取ると、この提供情報に付加されている特性を調べ、この特性があらかじめ登録されていると、前記第１の伝送信号に含まれる画像信号の画像と、前記提供情報とを混合して表示するための第２の伝送信号を生成するとともに、識別情報が記録されたコードであって、撮影して読み取ることが可能な所定コードを作成し、この所定コードを前記第２の伝送信号に埋め込んで前記第２の伝送信号を前記表示装置に出力し、
前記表示装置は、第２の伝送信号を受信すると、この第２の伝送信号を基にして通常画像と提供情報とを混合して表示し、
前記撮影装置は、前記表示装置に表示され、識別情報が記録された所定コードを撮影し、撮影した時刻を表す時刻情報を付加して、撮影した所定コードの画像を出力し、
前記画像混合装置は、前記第２の伝送信号を前記表示装置に出力した後、所定時間内に前記撮影装置から所定コードの画像を受け取ると、この画像を記録しておく
ことを特徴とする情報提供表示システム。
【請求項２】
前記画像混合装置は、前記撮影装置から所定コードの画像を受け取ったか否かを示す通知を前記情報提供装置に送る、
ことを特徴とする請求項１に記載の情報提供表示システム。
【請求項３】
前記表示装置の画像を視聴する視聴者からの音声を検出して、音声検出信号を出力するセンサ装置を備え、
前記画像混合装置は、前記第２の伝送信号を前記表示装置に出力したとき、前記センサ装置から音声検出信号を受け取り、この音声検出信号が表す音声が所定の音であると、第２の伝送信号を前記表示装置に再度出力する、
ことを特徴とする請求項１または２に記載の情報提供表示システム。
【請求項４】
視聴者によって操作されると、操作信号を出力するスイッチを備え、
前記画像混合装置は、前記第２の伝送信号を表示装置に出力し続け、前記スイッチから操作信号を受け取ると、前記第２の伝送信号の出力を止めて前記第１の伝送信号を前記表示装置に出力する、
ことを特徴とする請求項１〜３のいずれか１項に記載の情報提供表示システム。
【請求項５】
前記画像混合装置は、前記第１の伝送信号の断を検出すると、あらかじめ記憶している画像を含む信号を第１の伝送信号とし、この第１の伝送信号を前記表示装置に出力する、
ことを特徴とする請求項１〜４のいずれか１項に記載の情報提供表示システム。
【発明の詳細な説明】
【技術分野】
【０００１】
この発明は、提供された各種の情報を選択的に表示する情報提供表示システムに関する。
【背景技術】
【０００２】
情報を画像で表示する情報表示装置には各種のものがあり、例えば既存システムであるテレビ局からのテレビ番組を表示するテレビ放送用の受信機がある。テレビ放送用の受信機には、緊急警報放送に対応したものがある。例えば津波等の緊急事態が発生した場合に、テレビ放送の放送局は緊急警報放送を送信する。このとき、緊急警報放送に対応した受信機は、スタンバイ状態であっても、緊急警報放送を受信すると起動して情報を表示する（例えば、特許文献１参照。）。
【０００３】
また、情報表示装置には、液晶モニターが接続されているパーソナルコンピュータがある。この場合には、インターネット等から得た情報をパーソナルコンピュータが液晶モニターに表示する。
【０００４】
さらに、情報表示装置には、街中や電車等で広告を表示するデジタルサイネージがある。デジタルサイネージは、あらかじめ広告を表すデータを表示制御装置に取り込んでおき、この表示制御装置が定期的に広告を画面に表示している。
【０００５】
この他にも情報表示装置には、スクリーン等に情報を表示するプロジェクターなどのように各種のものがある。
【先行技術文献】
【特許文献】
【０００６】
【特許文献１】特開２０１４−５３７４５号公報
【発明の概要】
【発明が解決しようとする課題】
【０００７】
しかし、先に述べた各システムには次の課題がある。情報表示装置が緊急警報放送対応の受信機である場合には、この受信機が緊急警報信号を受信すると、テレビ番組の画像に混合して緊急警報情報を表示する。しかし、放送局とは別システムのサーバなどが提供する情報、例えば自治体が提供する居住地域の防犯等に関する情報ついては、この情報を放送局側で送信しない限り、受信機はこうした情報をテレビ番組の画像に混合して表示することが出来ない。
【０００８】
また、情報表示装置がパーソナルコンピュータである場合には、使用者が画面に表示された情報を選択することで、パーソナルコンピュータが情報を表示する。しかし、放送用の受信機と同様に、別システムのサーバなどが提供する情報については、この情報が別システムから提供された時点で、パーソナルコンピュータがこの情報を混合してディスプレイに表示することは出来ない。同様にして、情報表示装置がデジタルサイネージである場合は、表示制御装置があらかじめ記憶している広告等を表示するが、この情報が別システムから提供された時点で、この情報を混合して表示することが出来ない。
【０００９】
この発明の目的は、前記の課題を解決し、各種の用途や設置場所などに適した情報を表示することを可能にする情報提供表示システムを提供することにある。
【課題を解決するための手段】
【００１０】
前記の課題を解決するために、請求項１の発明は、災害情報を含む各種の収集した情報を提供情報とし、この提供情報の特性を付加して送信する情報提供装置と、通常の画像である通常画像を表示するための画像信号を含む第１の伝送信号が入力されると、この第１の伝送信号を出力する画像混合装置と、前記画像混合装置からの第１の伝送信号が入力されると、この第１の伝送信号を基に通常画像を表示する表示装置と、前記表示装置の画面を撮影する撮影装置と、を備え、前記画像混合装置は、前記情報提供装置から提供情報を受け取ると、この提供情報に付加されている特性を調べ、この特性があらかじめ登録されていると、前記第１の伝送信号に含まれる画像信号の画像と、前記提供情報とを混合して表示するための第２の伝送信号を生成するとともに、識別情報が記録されたコードであって、撮影して読み取ることが可能な所定コードを作成し、この所定コードを前記第２の伝送信号に埋め込んで前記第２の伝送信号を前記表示装置に出力し、前記表示装置は、第２の伝送信号を受信すると、この第２の伝送信号を基にして通常画像と提供情報とを混合して表示し、前記撮影装置は、前記表示装置に表示され、識別情報が記録された所定コードを撮影し、撮影した時刻を表す時刻情報を付加して、撮影した所定コードの画像を出力し、前記画像混合装置は、前記第２の伝送信号を前記表示装置に出力した後、所定時間内に前記撮影装置から所定コードの画像を受け取ると、この画像を記録しておく、ことを特徴とする情報提供システムである。
【００１１】
請求項１の発明では、情報提供装置と画像混合装置と表示装置とが備えられている。情報提供装置は、災害情報を含む各種の収集した情報を提供情報とし、この提供情報の特性を付加して送信する。画像混合装置は、通常画像を表示するための画像信号を含む第１の伝送信号が入力されると、この信号を出力する。表示装置は、第１の伝送信号を基に通常画像を表示する。
【００１２】
一方、画像混合装置は、情報提供装置から提供情報を受け取ると、この提供情報に付加されている特性を調べる。この特性があらかじめ登録されていると、画像混合装置は、第１の伝送信号に含まれる画像信号の画像と、提供情報とを混合して表示するための第２の伝送信号を生成し、この伝送信号を表示装置に出力する。
【００１３】
請求項２の発明は、請求項１に記載の情報提供システムにおいて、前記画像混合装置は、前記撮影装置から所定コードの画像を受け取ったか否かを示す通知を前記情報提供装置に送る、ことを特徴とする。
【００１４】
請求項３の発明は、請求項１または２に記載の情報提供システムにおいて、前記表示装置の画像を視聴する視聴者からの音声を検出して、音声検出信号を出力するセンサ装置を備え、前記画像混合装置は、前記第２の伝送信号を前記表示装置に出力したとき、前記センサ装置から音声検出信号を受け取り、この音声検出信号が表す音声が所定の音であると、第２の伝送信号を前記表示装置に再度出力する、ことを特徴とする。
【００１５】
請求項４の発明は、請求項１〜３のいずれか１項に記載の情報提供表示システムにおいて、視聴者によって操作されると、操作信号を出力するスイッチを備え、前記画像混合装置は、前記第２の伝送信号を表示装置に出力し続け、前記スイッチから操作信号を受け取ると、前記第２の伝送信号の出力を止めて前記第１の伝送信号を前記表示装置に出力する、ことを特徴とする。
【００１６】
請求項５の発明は、請求項１〜４のいずれか１項に記載の情報提供表示システムにおいて、前記画像混合装置は、前記第１の伝送信号の断を検出すると、あらかじめ記憶している画像を含む信号を第１の伝送信号とし、この第１の伝送信号を前記表示装置に出力する、ことを特徴とする。
【発明の効果】
【００２３】
請求項１の発明によれば、通常画像と提供情報の両方を混合して表示装置に表示することが出来る。また、この発明によれば、画像混合装置と表示装置とを一対で使用することで、情報提供装置が収集した情報を選択した表示が可能となり、例えば既存システムのサーバを経由しないで、表示装置が情報を表示することが出来る。
また、所定コードを前記第２の伝送信号に埋め込んで表示装置に出力し、この後、所定時間内に撮影装置から所定コードの画像を受け取ると、この画像を記録しておくので、提供情報が表示装置に表示されたかどうかの確認を可能にする。
【００２４】
請求項２の発明によれば、提供情報が表示装置に表示されたか否かを示す通知を情報提供装置に送るので、情報提供装置側では提供情報が表示されたかどうかを把握することを可能にする。
請求項３の発明によれば、表示装置の通常画像と提供情報とが混合された画像を視聴者が見て、例えば驚きの声を出すと、再度、通常画像と提供情報とが混合された画像を表示装置に表示することが出来る。
【００２５】
請求項４の発明によれば、通常画像と提供情報とが混合された画像が表示装置に表示されている場合に、例えば視聴者がスイッチを操作するまで、通常画像と提供情報とが混合された画像の表示を行うので、視聴者に対して提供情報を確実に伝えることを可能にする。
【００２６】
請求項５の発明によれば、第１の伝送信号の断の際には、あらかじめ記憶している画像を含む信号を第１の伝送信号とし、この第１の伝送信号を表示装置に出力する。これにより、あらかじめ記憶している画像を表示することで、通常画像の断を表示装置に表示することができ、例えば災害時に視聴者の必要とする情報を表示装置が表示することを可能にする。
【図面の簡単な説明】
【００３４】
【図１】この発明の実施の形態１による情報提供表示システムを示す構成図である。
【図２】発信元リストの一例を示す図である。
【図３】送信先リストの一例を示す図である。
【図４】画像混合装置の一例を示す構成図である。
【図５】画像の合成を説明するための図である。
【図６】画像の合成を説明するための図である。
【図７】画像の合成を説明するための図である。
【図８】受信先リストの一例を示す図である。
【図９】この発明の実施の形態２で用いられる送信情報リストの一例を示す図である。
【図１０】この発明の実施の形態３による情報表示システムを示す構成図である。
【図１１】実施の形態３による画像混合装置の一例を示す構成図である。
【図１２】実施の形態４による情報提供表示システムを示す構成図である。
【図１３】実施の形態４による画像混合装置の一例を示す構成図である。
【図１４】実施の形態５による情報提供表示システムを示す構成図である。
【図１５】実施の形態５による画像混合装置の一例を示す構成図である。
【図１６】実施の形態６による情報提供表示システムを示す構成図である。
【図１７】実施の形態６による画像混合装置の一例を示す構成図である。
【図１８】ＱＲコード（登録商標）の表示例を示す図である。
【図１９】カメラの構成を示す構成図である。
【図２０】実施の形態７による情報提供表示システムを示す構成図である。
【図２１】実施の形態７による画像混合装置の一例を示す構成図である。
【発明を実施するための形態】
【００３５】
次に、この発明の各実施の形態について、図面を用いて詳しく説明する。
【００３６】
（実施の形態１）
この実施の形態による情報提供表示システムを図１に示す。この情報提供表示システムは、情報提供システム１と、通信網ＮＷを経て情報提供システム１に接続されている情報表示システム２とを備えている。さらに、情報提供表示システムは、放送局等の既存システム１００に接続されている。
【００３７】
既存システム１００は、例えばケーブルテレビの放送局のような画像配信サービスを行う所に設置されている。既存システム１００は、外部機器１０１を介在して、例えば各家庭に対して、放送用のデジタル伝送信号を送信する。このデジタル伝送信号には画像信号や音声信号が含まれている。なお、以下では、一般の家庭に情報提供表示システムが適用されている場合を例として説明する。既存システム１００の外部機器１０１は、家庭側に設置されている。そして、外部機器１０１は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ：高精細度マルチメディアインターフェース）のデジタル伝送信号（以下、「ＨＤＭＩ（登録商標）信号」と記す）を家庭側の情報表示システム２に送ることにより、放送局が提供するテレビ番組等を家庭のデジタルテレビで視聴可能にする。
【００３８】
情報提供システム１は、情報を管理して提供するための情報提供側に設置されている。つまり、情報提供システム１は、利用者に対して情報提供のサービスを行う側に設置されている。情報提供システム１は、情報提供装置１１と管理端末１２とを備えている。
【００３９】
情報提供システム１の管理端末１２は、情報提供側の担当者によって操作されるコンピュータである。担当者によって入力される指示等には、例えば情報提供システム１が収集する情報の発信元を指定するものや、収集した情報の送信先を指定するものがある。管理端末１２は、担当者により入力された発信元や情報の種類を、例えば図２に示すような発信元リストに登録する。発信元リストには、情報の発信元や、情報の種類、対象となる市町村の市町村コードが記録されている。
【００４０】
また、管理端末１２は、担当者により入力された、情報の送信先を、例えば図３に示すような送信先リストに登録する。この送信先リストには、情報提供のサービスの利用者である送信先を識別するための識別情報、利用者の氏名、利用者の住所、利用者のアドレスなどが記録されている。管理端末１２は、更新した発信元リストや送信先リストを情報提供装置１１に送る。
【００４１】
情報提供装置１１は、情報の発信元を記録した発信元リストや送信先を記録した送信先リストを、管理端末１２から受け取って記憶している。
【００４２】
情報提供装置１１は、通信網ＮＷなどを経て、発信元リストに登録されている発信元から各種の情報を収集する。情報提供装置１１が収集する情報には、例えばＬアラート（災害情報共有システム）が提供する豪雨などの自然災害を表す情報や、Ｊアラート（全国瞬時警報システム）が提供する人工衛星の落下を知らせる情報のような広い地区に関する情報がある。また、情報提供装置１１が収集する情報には、各自治体が提供する防犯情報や、火災情報などのような狭い地区に関する情報がある。情報提供装置１１は、こうして収集した各種の情報を提供情報とする。この後、即座に、情報提供装置１１は、発信元リストを参照し、提供情報に対して発信元、情報の種類、市町村コードなどの特性を付加情報とし、この付加情報を提供情報に付加する。市町村コードは各自治体を識別するための識別情報である。この後、情報提供装置１１は、送信先リストを参照し、提供情報を通信網ＮＷを経て送信する。
【００４３】
情報表示システム２は、情報提供システム１から情報を受け取る利用者側、この実施の形態では公共・商用施設等に設置されている。なお、この実施の形態では、利用者は公共・商用施設等に設置されている情報表示システム２の管理者である。情報表示システム２は、画像混合装置２１と、受信機２２、２３と、センサ２４とで構成されている。さらに、情報表示システム２が設けられている公共・商用施設等の設置場所（以下、「機器設置場所」という）には既存システム１００の外部機器１０１が設置されている。外部機器１０１は、先に述べたように、既存システム１００からデジタル伝送信号を受信すると、ＨＤＭＩ（登録商標）ケーブルによりＨＤＭＩ（登録商標）信号を機器設置場所の受信機２３と画像混合装置２１とに送る。
【００４４】
受信機２３は、外部機器１０１を経て既存システム１００から提供されるテレビ番組を視聴するためのデジタルテレビである。つまり、受信機２３は、外部機器１０１からのＨＤＭＩ（登録商標）信号を入力として、通常のテレビ番組の画像や音を出力する。このために、受信機２３は、ＨＤＭＩ（登録商標）ケーブルで外部機器１０１と接続されている。
【００４５】
受信機２２は、受信機２３と同じデジタルテレビである。さらに、この実施の形態では、受信機２２は情報提供システム１からの情報を表示するための表示装置でもある。このために、受信機２２は、ＨＤＭＩ（登録商標）ケーブルで画像混合装置２１と接続されている。また、受信機２２にはセンサ２４が取り付けられている。
【００４６】
センサ２４は、受信機２２を視聴している公共・商用施設等の訪問者、つまり視聴者からの音声を検出して音声検出信号を画像混合装置２１に出力する。つまり、センサ２４は、受信機２２の周辺の音声を電気信号に変換する装置である。
【００４７】
画像混合装置２１は、外部機器１０１とＨＤＭＩ（登録商標）ケーブルで接続されている。また、画像混合装置２１は、通信網ＮＷとデータの受け渡しが可能である。さらに、画像混合装置２１は、受信機２２とＨＤＭＩ（登録商標）ケーブルで接続されている。つまり、画像混合装置２１は受信機２２と一対で用いられる。こうした画像混合装置２１の一例を図４に示す。この画像混合装置２１は、受信部２１ａ、送信部２１ｂ、通信部２１ｃ、ＧＰＳ受信部２１ｄ、入力部２１ｅ、画像合成部２１ｆ、処理部２１ｇおよび記憶部２１ｈを備えている。
【００４８】
受信部２１ａは、外部機器１０１からＨＤＭＩ（登録商標）信号を受信する。受信部２１ａは、受信したＨＤＭＩ（登録商標）信号を、処理部２１ｇの制御によって送信部２１ｂまたは画像合成部２１ｆに出力する。送信部２１ｂは、受信部２１ａまたは画像合成部２１ｆから、ＨＤＭＩ（登録商標）信号を受け取ると、この信号を受信機２２に送信する。
【００４９】
通信部２１ｃは、通信網ＮＷとのデータの送受信を可能にする。この実施の形態では、通信部２１ｃは、情報提供システム１の情報提供装置１１から提供情報を受信すると、提供情報に付加されている付加情報と共に情報受信通知を処理部２１ｇに送る。この後、通信部２１ｃは、処理部２１ｇの制御によって、受け取った提供情報を画像合成部２１ｆに送る。
【００５０】
また、図示を省略しているが、通信部２１ｃは、機器設置場所で利用者が操作するパーソナルコンピュータとデータの送受信を可能にする。
【００５１】
ＧＰＳ受信部２１ｄは、ＧＰＳ（Ｇｌｏｂａｌ  Ｐｏｓｉｔｉｏｎｉｎｇ  Ｓｙｓｔｅｍ）衛星２００からの位置情報を受信する。この位置情報は経度と緯度とによって表される。ＧＰＳ受信部２１ｄは、受信した位置情報を処理部２１ｇに送る。
【００５２】
入力部２１ｅは、各種の信号を受け取るためのインターフェースである。入力部２１ｅは、センサ２４から音声検出信号を受け取る。入力部２１ｅは、受け取った音声検出信号をデータ化してデジタルの音声検出信号に変換する。この後、入力部２１ｅは、変換した音声検出信号を処理部２１ｇに送る。
【００５３】
画像合成部２１ｆは、受信部２１ａを経て外部機器１０１からＨＤＭＩ（登録商標）信号を受け取る。同時に、画像合成部２１ｆは、通信部２１ｃを経て情報提供システム１の情報提供装置１１から提供情報を受け取り、さらに処理部２１ｇから合成画像表示の指示を受け取ると、ＨＤＭＩ（登録商標）信号に含まれる画像信号と提供情報とを混合するための画像合成処理を行う。また、画像合成部２１ｆは、受け取った提供情報を一時的に記憶しておく。
【００５４】
具体的には、画像合成部２１ｆは、受信部２１ａからＨＤＭＩ（登録商標）信号を受け取ると、このＨＤＭＩ（登録商標）信号を復号化して音声信号と画像信号とを生成する。この後、画像合成部２１ｆは、生成した画像信号と、通信部２１ｃから受け取った提供情報とを混合する。例えば、図５に示すように、受信機２２の画面２２Ａに通常画像Ａ１を表示している場合、画像合成部２１ｆは、図６に示すように通常画像Ａ１を所定の比率で縮小した縮小画像Ａ１１を生成する。これにより、画像合成部２１ｆは、画面２２Ａに対して、Ｌ字型の余白部分Ｂ１１を生成する。この後、画像合成部２１ｆは、このＬ字型の余白部分Ｂ１１に対して、図７に示すように、提供情報Ｃ１を混合して両方を表示する合成画像を生成する。つまり、画像合成部２１ｆは、画像合成処理により、テレビ番組の縮小画像を表示し、かつ、Ｌ字型画像による提供情報を表示するための画像信号を生成する。
【００５５】
次に、画像合成部２１ｆは、画像合成処理で生成した画像信号と先に生成した音声信号とを符号化してＨＤＭＩ（登録商標）信号を生成し、このＨＤＭＩ（登録商標）信号を送信部２１ｂに送る。画像合成部２１ｆは、画像合成処理を基にした画像信号の生成とＨＤＭＩ（登録商標）信号の生成とを、提供情報が終わるまで行う。この後、画像合成部２１ｆは、合成画像用のＨＤＭＩ（登録商標）信号の送出終了を処理部２１ｇに通知する。
【００５６】
この後、画像合成部２１ｆは、処理部２１ｇから再表示指示を受け取ると、一時的に記憶している提供情報を利用して、再度、Ｌ字型画像による合成画像を表示するための画像合成処理を行う。これにより、画像合成部２１ｆは、提供情報を、再度、Ｌ字型画像で表示するためのＨＤＭＩ（登録商標）信号を生成し、このＨＤＭＩ（登録商標）信号を送信部２１ｂに送る。
【００５７】
画像混合装置２１の記憶部２１ｈは、各種のデータを記憶する記憶装置である。
【００５８】
処理部２１ｇは、画像混合装置２１に関する各種の処理を行う。処理部２１ｇは、ＧＰＳ受信部２１ｄから位置情報を受け取ると、この位置情報が示す経度と緯度から、ＧＰＳ受信部２１ｄの位置、つまり機器設置場所の所在地を求める。この場合、処理部２１ｇは、例えば通信部２１ｃと通信網ＮＷとを経由して、インターネットから経度と緯度とに対応する機器設置場所の所在地、この実施の形態では市町村コードを調べる。処理部２１ｇは、ＧＰＳ受信部２１ｄにより調べた市町村コードを記憶部２１ｈに記憶する。この後、処理部２１ｇは定期的にＧＰＳ受信部２１ｄを用いて市町村コードを調べ、このコードが変更されていると、記憶部２１ｈに記憶している市町村コードを更新する。
【００５９】
処理部２１ｇは、通信部２１ｃを経て、利用者のパーソナルコンピュータから情報の種類を指定する指示を受けると、あらかじめ記憶部２１ｈに記憶してある、例えば図８に示す受信リストを読み出す。そして、処理部２１ｇは、パーソナルコンピュータから入力された情報の種類により、受信リストを更新する。また、処理部２１ｇは、通信部２１ｃを経て、利用者のパーソナルコンピュータから受け取った閾値であり、情報を選別するための閾値を受け取ると、記憶部２１ｈに記憶してある受信リストを読み出す。そして、処理部２１ｇは、パーソナルコンピュータから受け取った閾値で受信リストを更新する。つまり、受信リストはパーソナルコンピュータにより変更が可能な状態にある。
【００６０】
処理部２１ｇは、受信部２１ａが外部機器１０１からＨＤＭＩ（登録商標）信号を受信した場合に、通信部２１ｃが通信網ＮＷを経て情報提供装置１１から提供情報を受信していないとき、受信部２１ａを制御して、受信部２１ａが受信したＨＤＭＩ（登録商標）信号を送信部２１ｂにそのまま送る。
【００６１】
この状態で、処理部２１ｇは、通信部２１ｃから情報受信通知を受け取ると、通信網ＮＷから通信部２１ｃが受信した提供情報の特性について、この情報に付加されている付加情報により調べる。この後、処理部２１ｇは、記憶部２１ｈに記憶してある市町村コードと、付加情報の市町村コードとを照合する。処理部２１ｇは、照合により２つのコードが一致すると、記憶部２１ｈに記憶してある受信リストの情報の種類と、付加情報の中の情報の種類とを照合する。処理部２１ｇは、照合により２つの種類が一致すると、受信リストの閾値と、提供情報に含まれる数値、例えば地震の震度や、津波の高さなどを比較する。提供情報に含まれる数値が閾値より大きいときに、処理部２１ｇは、受信部２１ａに対して、ＨＤＭＩ（登録商標）信号を画像合成部２１ｆに送るように制御する。同時に、処理部２１ｇは、通信部２１ｃに対して、受信した提供情報を画像合成部２１ｆに送るように制御すると共に、画像合成部２１ｆに対して合成画像表示の指示を送る。
【００６２】
この後、処理部２１ｇは、画像合成部２１ｆから合成画像用のＨＤＭＩ（登録商標）信号の送出終了の通知を受け取ると、受信部２１ａに対して、受信したＨＤＭＩ（登録商標）信号を送信部２１ｂに出力するように制御する。
【００６３】
処理部２１ｇは、合成画像表示の指示を画像合成部２１ｆに送った後、センサ２４から音声検出信号を受け取ると、この音声検出信号が表す音声のレベルと、音声の継続時間を調べる。そして、音声のレベルが所定レベルより大きく、かつ、音声の継続時間が設定時間より短いと、つまり、視聴者が驚きなどの声、例えば「エー」、「どうした」、「なに」、「あら」といったような声を出すと、処理部２１ｇは、提供情報を再度表示するための再表示指示を画像合成部２１ｆに送る。
【００６４】
以上が情報提供表示システムの構成である。次に、情報提供表示システムの作用について説明する。情報を管理して提供するための情報提供システム１側では、情報提供装置１１が発信元リストにより各種の情報を収集する。この後、情報提供装置１１は、情報提供のサービスを利用する利用者、つまり発信先リストに登録されている利用者に対して、収集した情報を提供情報として送信する。このとき、情報提供装置１１は、提供情報の特性として、発信元、情報の種類、市町村コードを提供情報に付加して送信する。
【００６５】
情報提供のサービスを利用する利用者側に設置されている情報表示システム２は、既存システム１００からテレビ番組等のデジタル伝送信号を、外部機器１０１によりＨＤＭＩ（登録商標）信号にして、画像混合装置２１と受信機２３とに送る。画像混合装置２１は、通信網ＮＷを経て情報提供システム１から提供情報を受信していなければ、ＨＤＭＩ（登録商標）信号をそのまま受信機２２に送る。これにより、受信機２２は、ＨＤＭＩ（登録商標）信号によるテレビ番組などを表示する。また、受信機２３は、外部機器１０１から、直接、ＨＤＭＩ（登録商標）信号を受信するので、テレビ番組等の通常の画面を表示する。
【００６６】
受信機２２や受信機２３がテレビ番組等を表示しているときに、画像混合装置２１が情報提供システム１から提供情報を受信すると、画像混合装置２１は、ＨＤＭＩ（登録商標）信号を復号化して、画像信号と音声信号とを生成する。この後、画像混合装置２１は、画像合成処理を行い、Ｌ字型画像による提供情報の表示と、縮小画面によるテレビ番組の表示とを行うための画像信号を生成する。そして、画像混合装置２１は、画像合成処理で生成した画像信号と音声信号とを符号化し、ＨＤＭＩ（登録商標）信号に変換する。画像混合装置２１は、こうして生成したＨＤＭＩ（登録商標）信号を受信機２２に送る。
【００６７】
受信機２２は、画像混合装置２１からＨＤＭＩ（登録商標）信号を受信すると、このＨＤＭＩ（登録商標）信号により、Ｌ字型画像による提供情報の表示と、縮小画面によるテレビ番組の表示とを行う。そして、提供情報の表示を終了すると、受信機２２は通常の画面を表示する。
【００６８】
ところで、受信機２２に表示された提供情報を見ていた視聴者が驚きの声等を出すと、画像混合装置２１は、センサ２４からの音声検出信号により、この驚きの声を検出する。この後、画像混合装置２１は、再度、Ｌ字型画像による提供情報の表示と、縮小画面によるテレビ番組の表示とを行うための、ＨＤＭＩ（登録商標）のデジタル伝送信号を生成する。そして、画像混合装置２１は、このデジタル伝送信号を受信機２２に送る。これにより、受信機２２は、Ｌ字型画像による提供情報の表示と、縮小画面によるテレビ番組の表示とを再度行う。
【００６９】
以上のように、この実施の形態では、家庭のテレビ番組等を表示する受信機２２を利用して、提供情報を表示する場合について説明した。しかし、この発明は、これに限定されることはない。例えば、パーソナルコンピュータに接続されているプロジェクターがスクリーンに画像を表示するような場合でも、パーソナルコンピュータとプロジェクターとの間に、この実施の形態による画像混合装置２１を接続すれば、例えば緊急時の情報がＬ字型画像によりスクリーンに表示される。この他にも、この発明は、デジタルサイネージや映画館など各種の分野に適用可能である。
【００７０】
以上のように、この実施の形態によれば、次の効果を達成することができる。つまり、自治体が発信する避難指示等の災害関連情報等を多様なメディアに一括かつ迅速に発信する「Ｌアラート」の全国普及に総務省が現在、取り組んでいる。この実施の形態により、既存の「全てのディスプレイ」にＪアラート、Ｌアラート、ＭＩＣＳ、緊急災害情報などを表示可能にする。また、この実施の形態によれば、受信機ごとに画像混合装置２１を接続し、データ収集、情報を選択した表示が可能となり、既存システムのサーバを経由しないで情報を表示することが出来る。
【００７１】
また、この実施の形態によれば、秘密の管理のための電子計算機の安全性及び信頼性の確保を踏まえて、基幹システムのサーバとの接続を必要としないシステムとすることが出来る。そして、従来の画像情報を生成するシステムに他のシステムを接続して画像情報を混合する方式と比較すると、この実施の形態では情報セキュリティを担保することができることが優位点となる。
【００７２】
また、この実施の形態によれば、表示データを圧縮し、表示内容の画角を調整し、データ放送として収集した情報を表示できる点、また、受信機の用途や設置場所に則したデータ収集と選択との追加、削除がリアルタイムで、かつ容易に可能となる点も既存システムと大きく異なる点です。
【００７３】
さらに、この実施の形態によれば、受信機２２の視聴者が提供情報を見て、例えば驚きの声を出すと、再度、受信機２２に通常画像と提供情報の混合画像を表示することが出来るので、災害情報等の提供情報を確実に視聴者に伝えることができる。
【００７４】
（実施の形態２）
この実施の形態では、情報提供システム１が提供情報を次のようにして生成している。なお、この実施の形態では、先に説明した実施の形態１と同一もしくは同一と見なされる構成要素には、それと同じ参照符号を付けて、その説明を省略する。実施の形態１では、情報提供システム１の情報提供装置１１は、発信元リストを基にして収集した各種の情報を、送信先リストに登録されている利用者にそのまま送信していた。これに対して、この実施の形態では、各利用者に送信する情報を、情報提供システム１側であらかじめ選別している。このために、情報提供システム１は次のようにしている。
【００７５】
情報提供システム１の管理端末１２は、担当者により入力された地域であって情報の対象となる地域を、図９に示すように、市町村コードとして送信情報リストに登録する。つまり、この送信情報リストには情報を必要とする地域のコードが記録されている。この地域は、機器設置場所から離れていてもよく、任意の地域を管理端末１２で登録することが可能である。管理端末１２は、こうして更新した送信情報リストを情報提供装置１１に送る。
【００７６】
情報提供装置１１は、情報の発信元や送信先を記録した発信元リストや送信先リストを、管理端末１２から受け取って記憶している。さらに、この実施の形態では、情報提供装置１１は、情報の対象となる地域を記録した送信情報リストを、管理端末１２から受け取って記憶している。
【００７７】
情報提供装置１１は、通信網ＮＷなどを経て、発信元リストに登録されている発信元から各種の情報を収集する。情報提供装置１１は、収集した各種の情報を提供情報とする。次に、情報提供装置１１は、発信元リストを参照し、発信元、情報の種類、市町村コードのような提供情報の特性を付加情報とし、この付加情報を提供情報に付加する。この後、情報提供装置１１は、送信先リストを参照し、利用者に送信する提供情報の中から、送信情報リストを参照して情報を選別する。そして、情報提供装置１１は、選別した提供情報を通信網ＮＷを経て該当する利用者に送信する。
【００７８】
こうして、この実施の形態によれば、提供情報の送り先を情報提供システム１側で送信情報リストを基に選別する。情報表示システム２は提供情報を受信した後で受信リストを基に提供情報を選別する際に、情報提供システム１から送られてくる情報量が少なくなっているので、選別するための情報表示システム２の負担を軽減することができる。
【００７９】
なお、実施の形態１では提供情報を情報表示システム２側で選別し、実施の形態２では提供情報を情報提供システム１側と情報表示システム２側の両方で選別した。しかし、この発明は、これに限定されることはない。例えば、提供情報を情報提供システム１側で全て選別するようにしてもよい。
【００８０】
（実施の形態３）
この実施の形態では、実施の形態１による情報提供表示システムの中で、情報表示システム２を図１０に示すような構成にしている。なお、この実施の形態では、先に説明した実施の形態１と同一もしくは同一と見なされる構成要素には、それと同じ参照符号を付けて、その説明を省略する。
【００８１】
この実施の形態では、受信機２２に表示されたＬ字型画像を利用者や視聴者により消去可能にしている。このために、情報表示システム２は、画像混合装置２１に対して着脱自在なスイッチ２５を備えている。スイッチ２５は、例えば、画像混合装置２１に接続されている受信機２２の近くに置かれて使用される。
【００８２】
スイッチ２５は、受信機２２を視聴している利用者や視聴者に操作される押しボタン式のスイッチである。スイッチ２５は、ボタンの押し下げにより操作信号を画像混合装置２１に出力する。
【００８３】
画像混合装置２１は、基本的に実施の形態１と同様の構成である。この実施の形態による画像混合装置２１では、図１１に示すように、入力部２１ｅに対してスイッチ２５が接続可能である。
【００８４】
入力部２１ｅは、実施の形態１と同様に、センサ２４からの音声検出信号を受け取る。また、入力部２１ｅは、利用者によりスイッチ２５が接続されると、接続信号を処理部２１ｇに送る。同時に、入力部２１ｅは、センサ２４からの音声検出信号の受け取りを止める。この後、入力部２１ｅは、スイッチ２５からの操作信号を受け取ると、この操作信号をデータ化してデジタルの操作信号に変換し、変換した操作信号を処理部２１ｇに送る。
【００８５】
画像混合装置２１の画像合成部２１ｆは、受信部２１ａを経て外部機器１０１からＨＤＭＩ（登録商標）信号を受け取る。同時に、画像合成部２１ｆは、通信部２１ｃを経て情報提供システム１の情報提供装置１１から提供情報を受け取り、さらに処理部２１ｇから合成画像表示の指示を受け取ると、ＨＤＭＩ（登録商標）信号に含まれる画像信号と提供情報とを合成するための画像合成処理を行う。同時に、画像合成部２１ｆは、情報提供装置１１から受け取った提供情報を一時的に記憶しておく。
【００８６】
具体的には、画像合成部２１ｆは、受信部２１ａからＨＤＭＩ（登録商標）信号を受け取ると、実施の形態１と同様に、所定の比率で縮小したテレビ番組等の縮小画像を表示し、かつ、Ｌ字型画像に提供情報を表示するための画像信号を、画像合成処理で生成する。画像合成部２１ｆは、画像合成処理を基にした画像信号の生成を、一時的に記憶してある提供情報を用いて所定時間、例えば１０分程度の間だけ行う。つまり、画像合成部２１ｆは、１０分間程度、Ｌ字型画像で繰り返して提供情報を表示するようにしている。
【００８７】
次に、画像合成部２１ｆは、画像合成処理で生成した画像信号と、先に生成した音声信号とを符号化してＨＤＭＩ（登録商標）信号を生成し、生成したＨＤＭＩ（登録商標）信号を送信部２１ｂに送る。そして、所定時間が経過すると、画像合成部２１ｆは、合成画像用のデジタル伝送信号の送出終了を処理部２１ｇに通知する。
【００８８】
また、画像合成部２１ｆは、画像合成処理を基にした画像信号の生成とＨＤＭＩ（登録商標）信号の生成とを行っている間に、処理部２１ｇから画像合成中止の指示を受け取ると、画像合成処理を基にした画像信号の生成とＨＤＭＩ（登録商標）信号の生成とを中止する。この後、画像合成部２１ｆは、合成画像用のＨＤＭＩ（登録商標）信号の送出終了を処理部２１ｇに通知する。
【００８９】
処理部２１ｇは、実施の形態１の処理に加えて次の処理を行う。つまり、入力部２１ｅから接続信号を受け取った後、外部機器１０１から受信部２１ａがＨＤＭＩ（登録商標）信号を受信した場合に、通信部２１ｃが通信網ＮＷを経て情報提供装置１１から提供情報を受信していないとき、処理部２１ｇは、受信部２１ａが受信したＨＤＭＩ（登録商標）信号を送信部２１ｂにそのまま送る。これは実施の形態１と同様である。
【００９０】
この状態で、処理部２１ｇは、通信部２１ｃから情報受信通知を受け取ると、通信部２１ｃが受信した提供情報について、この情報に付加されている付加情報を調べる。次に、処理部２１ｇは、記憶部２１ｈに記憶してある市町村コードと、付加情報の市町村コードとを照合する。処理部２１ｇは、照合により２つのコードが一致すると、記憶部２１ｈに記憶してある受信リストの情報の種類と、付加情報の中の情報の種類とを照合する。処理部２１ｇは、照合により２つの情報が一致すると、受信リストの閾値と、提供情報に含まれる数値、例えば地震の震度や、津波の高さなどを比較し、提供情報に含まれる数値が閾値より大きいときに、処理部２１ｇは、受信部２１ａに対して、ＨＤＭＩ（登録商標）信号を画像合成部２１ｆに送るように制御する。同時に、処理部２１ｇは、画像合成部２１ｆに対して、通信部２１ｃが受信した提供情報を送るように制御すると共に、合成画像表示の指示を送る。
【００９１】
処理部２１ｇは、合成画像表示の指示を画像合成部２１ｆに送った後、スイッチ２５から操作信号を受け取ると、または、画像合成部２１ｆから合成画像用のＨＤＭＩ（登録商標）信号の送出終了の通知を受け取ると、受信部２１ａが出力するＨＤＭＩ（登録商標）信号を送信部２１ｂに出力するように制御する。同時に、処理部２１ｇは、画像合成中止の指示を画像合成部２１ｆに送る。
【００９２】
以上が情報提供表示システムの構成である。次に、情報提供表示システムの作用について説明する。情報表示システム２の受信機２２が通常画像を表示するための動作は実施の形態１と同じである。
【００９３】
ところで、利用者が画像混合装置２１にスイッチ２５を接続すると、画像混合装置２１は、センサ２４からの音声検出信号の受け取りを止めて、スイッチ２５からの操作信号を受け取る状態になる。
【００９４】
こうした状態で受信機２２が通常画面を表示しているときに、画像混合装置２１が情報提供システム１から提供情報を受信すると、画像混合装置２１は、ＨＤＭＩ（登録商標）信号を復号化して、画像信号と音声信号とを生成する。この後、画像混合装置２１は、画像合成処理を行い、Ｌ字型画像による提供情報の表示と、縮小画面によるテレビ番組の表示とを行うための画像信号を生成する。画像混合装置２１は、画像合成処理を基にした画像信号の生成を、一時的に記憶してある提供情報を用いて所定時間だけ繰り返して行う。そして、画像合成部２１ｆは、画像合成処理で生成した画像信号と音声信号とを符号化してＨＤＭＩ（登録商標）信号に変換する。
【００９５】
画像混合装置２１は、こうして生成したＨＤＭＩ（登録商標）信号を、所定時間の間、受信機２２に送る。この間に、利用者や視聴者がスイッチ２５を操作すると、画像混合装置２１では、処理部２１ｇが画像合成中止の指示を画像合成部２１ｆに送る。画像合成部２１ｆは、画像合成中止の指示を受け取ると、画像合成処理を中止する。この後、画像合成部２１ｆは、合成画像用のＨＤＭＩ（登録商標）信号の送出終了を処理部２１ｇに通知する。これにより、受信機２２には、通常のテレビ番組の画像が映し出される。
【００９６】
こうして、この実施の形態によれば、Ｌ字型画像による提供情報が受信機２２に表示されている間に、利用者や視聴者がスイッチ２５を操作すると、Ｌ字型画像による提供情報の表示が終了する。つまり、利用者や視聴者がスイッチ２５を操作するまで、Ｌ字型画像による提供情報の表示を受信機２２が継続するので、利用者や視聴者に対して提供情報を確実に伝えることを可能にする。
【００９７】
（実施の形態４）
この実施の形態による情報提供表示システムを図１２に示す。なお、この実施の形態では、先に説明した実施の形態１と同一もしくは同一と見なされる構成要素には、それと同じ参照符号を付けて、その説明を省略する。また、図１２では、図面が複雑になることを避けるために、センサ２４とその接続の図示を省略している。この実施の形態による情報提供表示システムは、画像混合装置２１〜センサ２４に加えて、給電装置２６を備えている。また、この情報提供表示システムでは、受信機２３は商用電源から電気の供給を受けて動作する。以下では、この実施の形態による情報提供表示システムの構成と作用とを併せて説明する。
【００９８】
給電装置２６は、商用電源から電気の供給を受けると、この商用電源を電源として画像混合装置２１及び受信機２２に供給する。同時に、給電装置２６は、内部に蓄電装置（図示を省略）を備えて、商用電源からの交流を直流に変換して蓄電する。さらに、給電装置２６は、供給される商用電源を監視する。給電装置２６は、商用電源の断を検出すると、商用電源の断を示す電源断検出信号を画像混合装置２１に送る。同時に、給電装置２６は、商用電源の断のときに、画像混合装置２１に電気を供給することはもちろん、蓄電装置に蓄えた直流を交流に変換し、この交流の電源を予備電源として商用電源の代わりに受信機２２に供給する。
【００９９】
画像混合装置２１は、基本的に実施の形態１と同様の構成である。この実施の形態による画像混合装置２１では、図１３に示すように、入力部２１ｅに対して給電装置２６が接続されている。この実施の形態では、受信部２１ａと処理部２１ｇと画像合成部２１ｆとが次の処理をする。
【０１００】
入力部２１ｅには、実施の形態１で述べたように、センサ２４が接続されている。さらに、この実施の形態では、入力部２１ｅには、給電装置２６が接続されている。入力部２１ｅは、給電装置２６から電源断検出信号を受け取ると、この電源断検出信号を処理部２１ｇに送る。
【０１０１】
受信部２１ａは、実施の形態１で述べた処理に加えて、次の処理を行う。受信部２１ａは、外部機器１０１からのＨＤＭＩ（登録商標）信号つまりデジタル伝送信号に含まれる画像信号の有無を検出している。そして、この画像信号が断になると、この信号の断を示す画像断検出信号を処理部２１ｇに送る。
【０１０２】
処理部２１ｇは、実施の形態１で述べた各種の処理に加えて、電源が断になったときの処理と、画像信号が断になったときの処理とを行う。
【０１０３】
処理部２１ｇは、入力部２１ｅから電源断検出信号を受け取った場合に、あらかじめ記憶部２１ｈに記憶してある代替の画像を表示するための画像信号（以下、「第１の代替画像信号」という）を読み出す。第１の代替画像としては、例えば「現在、停電中です」というようなメッセージを表す画像、公共・商用施設等に設置されている情報表示システム２から避難所までの避難経路を表す画像、両方の画像などがある。処理部２１ｇは、読み出した第１の代替画像信号と共に、第１の代替画像の表示を指示する電源断時指示を画像合成部２１ｆに送る。
【０１０４】
また、処理部２１ｇは、入力部２１ｅから画像断検出信号を受け取った場合に、あらかじめ記憶部２１ｈに記憶してある代替の画像を表示するための画像信号（以下、「第２の代替画像信号」という）を読み出す。第２の代替画像としては、例えば「現在、ＴＶ放送を受信できません」というようなメッセージを表す画像、公共・商用施設等に設置されている情報表示システム２から避難所までの避難経路を表す画像、これら両方の画像などがある。処理部２１ｇは、読み出した第２の代替画像信号と共に、第２の代替画像の表示を指示する放送断時指示を画像合成部２１ｆに送る。
【０１０５】
画像合成部２１ｆは、外部機器１０１からのＨＤＭＩ（登録商標）信号、または、画像合成処理で生成したＨＤＭＩ（登録商標）信号を送信部２１ｂを経て受信機２２に送っている場合に、電源断時指示または放送断時指示を受け取ると、指示と共に送られてきた第１の代替画像信号または第２の代替画像信号を、受信部２１ａからの画像信号の代わりとして用いる。つまり、画像合成部２１ｆは、第１の代替画像信号または第２の代替画像信号を、送信部２１ｂを経て受信機２２に送る。
【０１０６】
これにより、受信機２２は、電源が断になったときや、画像信号が断になったときには、例えば「現在、ＴＶ放送を受信できません」というようなメッセージを表す画像、公共・商用施設等に設置されている情報表示システム２から避難所までの避難経路を表す画像、これら両方の画像などを、縮小画像Ａ１１として表示する。
【０１０７】
こうして、この実施の形態によれば、災害時等の通報のためのＬ字型画像による提供情報を表示している場合に、既存システム１００からの放送用のデジタル伝送信号が断になったときや、商用電源が断になったときには、放送の受信不可や商用電源の断を表示し、避難経路等を受信機２２に表示することにより、災害時等に必要な情報を提供することができる。つまり、この実施の形態によれば、情報提供表示システムが起動する発災時においては、データ断や停電となることが想定される。情報提供表示システムによれば、データ断や停電を検出して、表示装置の設置場所における避難経路などの固有の情報を自動的に受信機２２に掲載できる。
【０１０８】
（実施の形態５）
この実施の形態による情報提供表示システムを図１４に示す。なお、この実施の形態では、先に説明した実施の形態１と同一もしくは同一と見なされる構成要素には、それと同じ参照符号を付けて、その説明を省略する。また、図１４では、図面が複雑になることを避けるために、センサ２４とその接続の図示を省略している。この実施の形態による情報提供表示システムでは、実施の形態１の画像混合装置２１〜センサ２４に加えて、スマートフォン２７を備えている。以下では、この実施の形態による情報提供表示システムの構成と作用とを併せて説明する。
【０１０９】
スマートフォン２７は、パーソナルコンピュータとしての機能と、インターネット等との通信を行う機能とを併せ持つ携帯用の小型端末である。スマートフォン２７には、多言語対応を可能にするアプリケーションソフトウェアが前もって導入されている。
【０１１０】
スマートフォン２７は、このアプリケーションソフトウェアにより次のような動作を行う。受信機２２のＬ字型画像による提供情報が表示されている場合、視聴者の操作によりスマートフォン２７が受信機２２の画像をカメラ機能で読み取る。この後、スマートフォン２７は、読み取った画像から提供情報に該当する画像を抽出し、画像の中の文字を文字データに変換する。次に、スマートフォン２７は、文字データの文字を、多言語の中のあらかじめ設定されている言語つまり所定言語に翻訳して翻訳提供情報を生成する。この後、スマートフォン２７は、この翻訳提供情報を表示する。
【０１１１】
これにより、スマートフォン２７は、受信機２２のＬ字型画像による提供情報を、別の言語に翻訳して表示する。
【０１１２】
ところで、スマートフォン２７は、先に述べたアプリケーションソフトウェアにより、次のような多言語対応を可能にする。この多言語対応を可能にするために、情報表示システム２の画像混合装置２１は、図１５に示すように、出力部２１ｉを備えている。
【０１１３】
画像合成部２１ｆは、実施の形態１で述べた処理に加えて次の処理をする。画像合成部２１ｆは、通信部２１ｃを経て情報提供システム１から提供情報を受け取ると、この提供情報を出力部２１ｉに送る。
【０１１４】
出力部２１ｉは、提供情報を受け取ると、この提供情報をあらかじめ設定されている言語つまり所定言語に翻訳する。さらに、出力部２１ｉは、翻訳で生成した翻訳提供情報を、所定言語に対応する周波数の非可聴音信号に変換する。非可聴音は、スマートフォン２７の視聴者等には聞き取ることができない、高い周波数の音である。出力部２１ｉは、生成した非可聴音信号を変換し、非可聴音として外部に出力する。
【０１１５】
スマートフォン２７は、非可聴音に対応した内蔵のマイクや外付けのマイクにより、画像混合装置２１からの非可聴音を電気信号に変換して、非可聴音信号を生成する。この後、スマートフォン２７は、生成した非可聴音信号を基に、翻訳提供情報を表示し、また、翻訳提供情報を音声として出力する。
【０１１６】
こうして、この実施の形態によれば、アプリケーションソフトウェアをスマートフォン２７に導入することにより、提供情報は翻訳されて、スマートフォン２７に表示され、また音声出力をされる。これにより、提供情報を別の言語にして出力することができる。つまり、この実施の形態によれば、多種多様な表示システムに接続し、既存システムのサーバを経由しないで災害関連情報を映像および音声による、別の各種の言語で対応することを可能にする。
【０１１７】
（実施の形態６）
この実施の形態による情報提供表示システムを図１６に示す。なお、この実施の形態では、先に説明した実施の形態１と同一もしくは同一と見なされる構成要素には、それと同じ参照符号を付けて、その説明を省略する。また、図１６では、図面が複雑になることを避けるために、センサ２４とその接続の図示を省略している。この実施の形態による情報提供表示システムでは、実施の形態１の画像混合装置２１〜センサ２４に加えて、カメラ２８を備えている。そして、図１７に示すように、画像混合装置２１の入力部２１ｅ１にカメラ２８が接続されている。カメラ２８については後述する。
【０１１８】
入出力部２１ｅ１は、実施の形態１の入力部２１ｅと同様に、各種の信号を受け取るためのインターフェースである。同時に、入出力部２１ｅ１は、各種の信号を出力するためのインターフェースでもある。
【０１１９】
処理部２１ｇは、実施の形態１で述べた各種の処理に加えて、次の処理を行う。処理部２１ｇは、提供情報に付加されている付加情報と共に情報受信通知を通信部２１ｃから受け取ると、例えば付加情報の発信元の情報からＵＲＬ（Ｕｎｉｆｏｒｍ  Ｒｅｓｏｕｒｃｅ  Ｌｏｃａｔｏｒ）を調べて識別情報とする。この後、処理部２１ｇは、合成画像表示の指示に発信元のＵＲＬを付加し、この合成画像表示の指示を画像合成部２１ｆに送る。
【０１２０】
処理部２１ｇは、この後、所定時間内に入出力部２１ｅ１を経てカメラ２８からコード撮影画像を受け取ると、このコード撮影画像に付加されている時刻情報と、このコード撮影画像とを記憶部２１ｈに記憶しておく。
【０１２１】
処理部２１ｇは、この後、例えばＧＰＳ受信部２１ｄから位置情報を受け取ると、この位置情報が示す経度と緯度から、ＧＰＳ受信部２１ｄの位置、つまり機器設置場所の所在地を求める。そして、処理部２１ｇは、位置情報を受け取った場合には、コード撮影画像が撮影されたことを示す通知、また、所定時間内にコード撮影画像を受け取らない場合には、コード撮影画像が撮影されなかったことを示す通知を生成し、この通知に機器設置場所の所在地を付加する。この後、処理部２１ｇは、生成した通知を情報提供システム１の情報提供装置１１に送信する。
【０１２２】
画像合成部２１ｆは、実施の形態１で述べた各種の処理に加えて、次の処理を行う。つまり、画像合成部２１ｆは、処理部２１ｇから合成画像表示の指示を受け取り、受信部２１ａからＨＤＭＩ（登録商標）信号を受け取り、さらに、通信部２１ｃから提供情報を受け取る。この後、画像合成部２１ｆは、受信部２１ａからのＨＤＭＩ（登録商標）信号と通信部２１ｃからの提供情報とを基に、画像合成処理により、テレビ番組の縮小画像を表示し、かつ、Ｌ字型画像による提供情報を表示するための画像信号を生成する。このとき、画像合成部２１ｆは、処理部２１ｇから受け取った合成画像表示の指示に付加されているＵＲＬを抽出する。次に、画像合成部２１ｆは、ＵＲＬを表すＱＲコード（登録商標）を生成する。そして、画像合成部２１ｆは、生成したＱＲコード（登録商標）を、画像信号のＬ字型の余白部分に埋め込む。これにより、受信機２２の画面２２ＡのＬ字型の余白部分の所定場所に、ＱＲコード（登録商標）が表示されるようにする。この実施の形態では、画面２２ＡのＬ字型の余白部分Ｂ１１の所定場所として、Ｌ字型の余白部分Ｂ１１の角にＱＲコード（登録商標）が映し出されるように、ＱＲコード（登録商標）が画像信号に埋め込まれる。この後、画像合成部２１ｆは、ＱＲコード（登録商標）が埋め込まれた画像信号を、送信部２１ｂを経て受信機２２に送る。なお、ＱＲコード（登録商標）の代わりとして、ＵＮＩ−Ｖｏｉｃｅ（登録商標）が使用可能である。ＵＮＩ−Ｖｏｉｃｅ（登録商標）は、漢字を含む文字データを約８００文字記録できる２次元バーコードである。
【０１２３】
カメラ２８は、画像混合装置２１の入出力部２１ｅ１に接続されている小型カメラである。図１８に示すように、ＱＲコード（登録商標）が埋め込まれた画像信号により、受信機２２のＬ字型の余白部分Ｂ１１にＱＲコード（登録商標）が表示されている場合、カメラ２８は、ＱＲコード（登録商標）Ｃ１１を認識して撮影する。カメラ２８は、受信機２２の画面２２Ａに映し出されたＱＲコード（登録商標）Ｃ１１を撮影するために、図１９に示すように、カメラ本体２８Ａと偏角プリズム２８Ｂとで構成されている。
【０１２４】
偏角プリズム２８Ｂは光を屈曲する。これにより、偏角プリズム２８Ｂは、受信機２２の画面２２ＡのＬ字型の余白部分Ｂ１１の所定場所に映し出されたＱＲコード（登録商標）Ｃ１１を、受信機２２の側面に取り付けられているカメラ本体２８Ａのレンズ２８Ａ１に導く。
【０１２５】
カメラ本体２８Ａは、この実施の形態では、受信機２２の側部に取り付けられている。カメラ本体２８Ａは、偏角プリズム２８Ｂを介在してＱＲコード（登録商標）Ｃ１１を認識すると、ＱＲコード（登録商標）Ｃ１１を撮影する。そして、カメラ本体２８Ａは、撮影した画像をコード撮影画像とし、撮影した時刻を示す時刻情報をコード撮影画像に付加する。このとき、コード撮影画像が台形状に歪んでいると、カメラ本体２８Ａは、歪んだ画像を補正（あおり補正）する。この後、カメラ本体２８Ａはコード撮影画像を、入出力部２１ｅ１を経て処理部２１ｇに送る。
【０１２６】
以上がこの実施の形態による情報提供表示システムの構成である。次に、情報提供表示システムの作用について説明する。処理部２１ｇは、情報提供システム１からの提供情報に付加されている付加情報と共に情報受信通知を通信部２１ｃから受け取ると、合成画像表示の指示に発信元のＵＲＬを付加し、この合成画像表示の指示を画像合成部２１ｆに送る。
【０１２７】
画像合成部２１ｆは、処理部２１ｇから合成画像表示の指示を受け取り、受信部２１ａからＨＤＭＩ（登録商標）信号を受け取り、さらに、通信部２１ｃから提供情報を受け取る。この後、画像合成部２１ｆは、画像合成処理により、テレビ番組の縮小画像を表示し、かつ、Ｌ字型画像による提供情報を表示するための画像信号を生成する。このとき、画像合成部２１ｆは、処理部２１ｇから受け取った合成画像表示の指示に付加されているＵＲＬを抽出する。次に、画像合成部２１ｆは、ＵＲＬを表すＱＲコード（登録商標）を生成する。そして、画像合成部２１ｆは、生成したＱＲコード（登録商標）を画像信号に埋め込む。この後、画像合成部２１ｆは、ＱＲコード（登録商標）が埋め込まれた画像信号を、送信部２１ｂを経て受信機２２に送る。
【０１２８】
受信機２２は、画面２２ＡのＬ字型の余白部分Ｂ１１の所定場所に、ＱＲコード（登録商標）Ｃ１１を映し出す。カメラ２８の偏角プリズム２８Ｂは、受信機２２の画面２２ＡのＬ字型の余白部分Ｂ１１に映し出されたＱＲコード（登録商標）Ｃ１１をカメラ本体２８Ａのレンズ２８Ａ１に導く。カメラ本体２８Ａは、ＱＲコード（登録商標）Ｃ１１を認識すると、撮影したコード撮影画像に対して、撮影した時刻を示す時刻情報を付加する。この後、カメラ本体２８Ａは、コード撮影画像を、入出力部２１ｅ１を経て処理部２１ｇに送る。
【０１２９】
処理部２１ｇは、所定時間内に入出力部２１ｅ１を経てカメラ２８からコード撮影画像を受け取ると、このコード撮影画像に付加されている時刻情報と、コード撮影画像とを記憶部２１ｈに記憶しておく。記憶部２１ｈに記憶されたコード撮影画像などは、例えば入出力部２１ｅ１に接続されたパーソナルコンピュータなどを用いて、画像混合装置２１側で確認することをが可能になる。
【０１３０】
この後、処理部２１ｇは、ＧＰＳ受信部２１ｄから位置情報を受け取ると、この位置情報が示す経度と緯度から、機器設置場所の所在地を求める。そして、処理部２１ｇは、所定時間内にコード撮影画像を受け取った場合には、コード撮影画像が撮影されたことを示す通知、また、所定時間内にコード撮影画像を受け取らない場合には、コード撮影画像が撮影されなかったことを示す通知を生成し、この通知に機器設置場所の所在地を付加する。この後、処理部２１ｇは、生成した通知を情報提供システム１の情報提供装置１１に送信する。
【０１３１】
情報提供システム１の情報提供装置１１は、情報表示システム２から通知を受信すると、例えば次の処理を行う。情報提供装置１１は、通知に付加されている機器設置場所の所在地と、送信先リストとを基にして、提供情報を表示していない利用者を探し出し、この利用者の一覧を情報提供システム１の管理端末１２に表示する。情報提供システム１側では、管理端末１２による表示結果から、提供情報を受信していない利用者に対する対策を担当者が行う。
【０１３２】
こうして、この実施の形態によれば、情報提供表示システムが起動する発災時に、提供情報が正しく表示され、提供情報が表示されたかを確認し、記録できることは、災害関連情報を提供するシステムとしては必要不可欠な機能である。また、この実施の形態によれば、既設システムや表示装置の故障などの影響を受けずに情報提供の状態確認をすることができる。
【０１３３】
（実施の形態７）
この実施の形態による情報提供表示システムを図２０に示す。なお、この実施の形態では、先に説明した実施の形態１と同一もしくは同一と見なされる構成要素には、それと同じ参照符号を付けて、その説明を省略する。また、図２０では、図面が複雑になることを避けるために、センサ２４とその接続の図示を省略している。この実施の形態による情報提供表示システムでは、実施の形態１の画像混合装置２１〜センサ２４に加えて、スピーカ２９Ａとマイク２９Ｂとを備えている。さらに、画像混合装置２１は、図２１に示すように、実施の形態１の入力部２１ｅの変わりに、入出力部２１ｅ１を備えている。なお、図２１では、図２０と同様に、センサ２４とその接続の図示を省略している。
【０１３４】
入出力部２１ｅ１は、実施の形態１の入力部２１ｅと同様に、各種の信号を受け取るためのインターフェースである。同時に、入出力部２１ｅ１は、各種の信号を出力するためのインターフェースでもある。
【０１３５】
スピーカ２９Ａは入出力部２１ｅ１に接続されている。スピーカ２９Ａは、入出力部２１ｅ１を経て処理部２１ｇから非可聴音信号を受け取ると、この非可聴音信号により非可聴音Ｄ１（図２０）を出す。
【０１３６】
マイク２９Ｂは入出力部２１ｅ１に接続されている。マイク２９Ｂは、スピーカ２９Ａが出した非可聴音Ｄ１を検出して電気信号に変換し、この電気信号を非可聴音検出信号として出力する。そして、マイク２９Ｂは、変換で生成した非可聴音検出信号を、入出力部２１ｅ１を経て処理部２１ｇに送る。
【０１３７】
通信部２１ｃは、実施の形態１で述べた各種の処理に加えて、次の処理を行う。通信部２１ｃは、提供情報を受信した際に情報受信通知を処理部２１ｇに送ると共に提供情報も処理部２１ｇに送る。
【０１３８】
処理部２１ｇは、実施の形態１で述べた各種の処理に加えて、次の処理を行う。処理部２１ｇは、通信部２１ｃから情報受信通知を受け取った場合に、同じく通信部２１ｃから提供情報を受け取ると、この提供情報に対応する信号であって、人には聞こえない音（非可聴音）を出すための信号である非可聴音信号を生成する。そして、処理部２１ｇは、生成した非可聴音信号を、入出力部２１ｅ１を経てスピーカ２９Ａに送る。
【０１３９】
処理部２１ｇは、非可聴音信号をスピーカ２９Ａに送った後、所定時間内に、入出力部２１ｅ１を経てマイク２９Ｂから非可聴音検出信号を受け取ると、この非可聴音検出信号を受け取った時刻を調べる。この後、処理部２１ｇは、受け取った時刻を示す時刻情報を非可聴音検出信号に付加し、この非可聴音検出信号を記憶部２１ｈに記録しておく。
【０１４０】
処理部２１ｇは、この後、例えばＧＰＳ受信部２１ｄから位置情報を受け取り、この位置情報が示す経度と緯度から、ＧＰＳ受信部２１ｄの位置、つまり機器設置場所の所在地を求める。そして、処理部２１ｇは、所定時間内に非可聴音検出信号を受け取った場合には、提供情報が表示されたことを示す通知、また、所定時間内に非可聴音検出信号を受け取らない場合には、提供情報が表示されなかったことを示す通知を生成し、この通知に機器設置場所の所在地を付加する。この後、処理部２１ｇは、生成した通知を情報提供システム１の情報提供装置１１に送信する。
【０１４１】
以上がこの実施の形態による情報提供表示システムの構成である。次に、この情報提供表示システムの作用について説明する。通信部２１ｃは、提供情報を受け取ると、情報受信通知と共に提供情報を処理部２１ｇに送る。処理部２１ｇは、通信部２１ｃから情報受信通知と提供情報を受け取ると、この提供情報を基に非可聴音信号を生成する。そして、処理部２１ｇは、この非可聴音信号を、入出力部２１ｅ１を経てスピーカ２９Ａに送る。スピーカ２９Ａは、処理部２１ｇから非可聴音信号を受け取ると、この非可聴音信号により非可聴音を出す。
【０１４２】
マイク２９Ｂは、スピーカ２９Ａが出した非可聴音Ｄ１を非可聴音検出信号に変換する。そして、マイク２９Ｂは、変換で生成した非可聴音検出信号を、入出力部２１ｅ１を経て処理部２１ｇに送る。処理部２１ｇは、非可聴音信号をスピーカ２９Ａに送った後、所定時間内にマイク２９Ｂから非可聴音検出信号を受け取ると、この非可聴音検出信号を受け取った時刻を示す時刻情報を非可聴音検出信号に付加し、この非可聴音検出信号を記憶部２１ｈに記録しておく。記憶部２１ｈに記憶された非可聴音検出信号などは、例えば入出力部２１ｅ１に接続されたパーソナルコンピュータなどを用いて、画像混合装置２１側で確認することが可能になる。
【０１４３】
この後、処理部２１ｇは、ＧＰＳ受信部２１ｄから位置情報を受け取り、この位置情報を基に機器設置場所の所在地を求める。そして、処理部２１ｇは、提供情報が表示されたことを示す通知、また、所定時間内に非可聴音検出信号を受け取らない場合には、提供情報が表示されなかったことを示す通知を生成し、この通知に機器設置場所の所在地を付加する。この後、処理部２１ｇは、生成した通知を情報提供システム１の情報提供装置１１の情報提供装置１１に送信する。
【０１４４】
情報提供システム１の情報提供装置１１は、情報表示システム２から通知を受信すると、例えば次の処理を行う。情報提供装置１１は、通知に付加されている機器設置場所の所在地と、送信先リストとを基にして、提供情報を表示していない利用者の一覧を作成し、この利用者の一覧を管理端末１２に表示する。情報提供システム１側では、管理端末１２による表示結果から、提供情報を受信していない利用者に対する対策を担当者が行う。
【０１４５】
こうして、この実施の形態によれば、情報提供表示システムが起動する発災時に、提供情報が正しく表示され、提供情報が表示されたかを確認し、記録できることは、災害関連情報を提供するシステムとしては必要不可欠な機能であり、既設システム、表示装置の故障などの影響を受けずに情報提供の状態確認をすることができる。
【符号の説明】
【０１４６】
１  情報提供システム
１１  情報提供装置
１２  管理端末
２  情報表示システム
２１  画像混合装置
２２  受信機（表示装置）
２３  受信機
２４  センサ
２５  スイッチ
２６  給電装置
２７  スマートフォン（携帯端末）
２８  カメラ（撮影装置）
２９Ａ  スピーカ
２９Ｂ  マイク
１００  既存システム
【図１】
0006653919.tif 000002
【図２】
0006653919.tif 000003
【図３】
0006653919.tif 000004
【図４】
0006653919.tif 000005
【図５】
0006653919.tif 000006
【図６】
0006653919.tif 000007
【図７】
0006653919.tif 000008
【図８】
0006653919.tif 000009
【図９】
0006653919.tif 000010
【図１０】
0006653919.tif 000011
【図１１】
0006653919.tif 000012
【図１２】
0006653919.tif 000013
【図１３】
0006653919.tif 000014
【図１４】
0006653919.tif 000015
【図１５】
0006653919.tif 000016
【図１６】
0006653919.tif 000017
【図１７】
0006653919.tif 000018
【図１８】
0006653919.tif 000019
【図１９】
0006653919.tif 000020
【図２０】
0006653919.tif 000021
【図２１】
0006653919.tif 000022